(57)【要約】【課題】割れを生じさせることなく装飾効果の高い丸太材の木口加工品を成形することができる丸太材の木口加工品における割れ防止方法および丸太材の木口加工品を提供する。【解決手段】木口加工品本体１の乾燥前の状態時に、この木口加工品本体の外周部５から該木口加工品本体の木口４側における略中心部６に至るまで、この木口加工品本体の厚さ方向の全長に対して切除部２を設け、この切除部に該切除部と略同形に形成された挿嵌部材３を嵌め込んで、前記切除部を設ける前の木口加工品本体１の形状に形成させる。【選択図】図４
2004268292.tif 000002
【特許請求の範囲】
【請求項１】
丸太材を木口方向に切断した木口加工品本体にあって、
前記木口加工品本体の乾燥前の状態時に、この木口加工品本体の外周部から該木口加工品本体の木口側における略中心部に至るまで、この木口加工品本体の厚さ方向の全長に対して切除部を設け、この切除部に該切除部と略同形に形成された挿嵌部材を嵌め込んで、前記切除部を設ける前の木口加工品本体の形状に形成させたことを特徴とする丸太材の木口加工品における割れ防止方法。
【請求項２】
丸太材を木口方向に切断した木口加工品本体と、前記木口加工品本体の外周部から該木口加工品本体の木口側における略中心部に至るまで、この木口加工品本体の厚さ方向の全長に対して設けた切除部と、この切除部に嵌め込んだ該切除部と略同形に形成された挿嵌部材とを有し、
該挿嵌部材を前記切除部に嵌め込むことで、前記切除部を設ける前の木口加工品本体の形状に形成させたことを特徴とする丸太材の木口加工品。
【発明の詳細な説明】
【０００１】
【産業上の利用分野】
本発明は、割れを生じさせることなく装飾効果の高い丸太材の木口加工品を成形することができる丸太材の木口加工品における割れ防止方法および丸太材の木口加工品に関する。
【０００２】
【従来の技術】
木材は、その乾燥過程において起こる収縮作用によってその軸方向へ亀裂（エミ）を発生させる。
特に、大径木からなる丸太材にあって、図７に示すように、木口６０側を表面に出るように形成した加工品６１は、その木口６０側に前記した亀裂６２が生ずるため、体裁が悪い上、木口６０の平滑面に亀裂６２の溝ができるので、この加工品６１を有効に利用することができないものであった。
【０００３】
【発明が解決しようとする課題】
本発明は前記した問題点を解決するためになされたもので、木口加工品本体の乾燥前の状態時に、この木口加工品本体の外周部から該木口加工品本体の木口側における略中心部に至るまで、この木口加工品本体の厚さ方向の全長に対して切除部を設け、この切除部に該切除部と略同形に形成された挿嵌部材を嵌め込んで、前記切除部を設ける前の木口加工品本体の形状に形成させることにより、割れを生じさせることなく装飾効果の高い丸太材の木口加工品を成形することができる丸太材の木口加工品における割れ防止方法および丸太材の木口加工品を提供することを目的としている。
【０００４】
【課題を解決するための手段】
前記した目的を達成するための本発明の手段は、
丸太材を木口方向に切断した木口加工品本体にあって、
前記木口加工品本体の乾燥前の状態時に、この木口加工品本体の外周部から該木口加工品本体の木口側における略中心部に至るまで、この木口加工品本体の厚さ方向の全長に対して三角形状の切除部を設け、この切除部に該切除部と略同形に形成された挿嵌部材を嵌め込んで、前記切除部を設ける前の木口加工品本体の形状に形成させた丸太材の木口加工品における割れ防止方法にある。
【０００５】
そして、
丸太材を木口方向に切断した木口加工品本体と、前記木口加工品本体の外周部から該木口加工品本体の木口側における略中心部に至るまで、この木口加工品本体の厚さ方向の全長に対して設けた三角形状の切除部と、この切除部に嵌め込んだ該切除部と略同形に形成された挿嵌部材とを有し、
該挿嵌部材を前記切除部に嵌め込むことで、前記切除部を設ける前の木口加工品本体の形状に形成させた丸太材の木口加工品の構成にある。
【０００６】
【発明の実施の態様】
次に、本発明に関する丸太材の木口加工品における割れ防止方法および丸太材の木口加工品の一実施例を図面に基づいて説明する。
図１および図４においてＡは、装飾や台あるいは物品の構成材等に用いられる丸太材の木口加工品で、木口加工品本体１と、切除部２と、挿嵌部材３とにより基本的に構成される。
【０００７】
前記した木口加工品本体１は、図１に示すように、大径木，中径木，小径木等の丸太材ｂを木口４の方向（丸太材ｂの軸方向と直交する方向）に切断して、図２（ａ）に示すように、円形の筒状形態に得たものである。なお、その形態（長さや太さ）は任意に得られる。
【０００８】
前記した切除部２は、図２（ｂ）に示すように、木口加工品本体１の外周部５から該木口加工品本体１の略中心部６へ向かって、この木口加工品本体１の略中心部６に至るまで、該木口加工品本体１の厚さ方向（軸方向）の全長に対して設けてある。
この切除部２は、例えば、略中心部６を頂点とする三角形状などに形成されるもので、この切除する形態は、他にも、図３（ａ）に示すように、四角形や、図３（ｂ）に示すように、台形や、図３（ｃ）に示すように、略円形など任意の形状が選定される。いずれの場合にも、該切除部２の内端部は、木口加工品本体１の略中心部６までその切り込みが設けられる。
【０００９】
この切除部２を設けることで、木口加工品本体１の外周部５には、その厚さ方向（軸方向）の全長に対して切り口７が開口する。
すなわち、木材からなる該木口加工品本体１は、針葉樹系を用いた場合には、乾燥工程において、外周部５が収縮し、図２（ｂ）に示すように、矢印ｐに示すように、開く現象が生ずる。
一方、広葉樹を用いた場合には、乾燥工程において、中心部に収縮が起こり、図２（ｂ）において矢印ｐで示す方向とは反対に、内側に収縮しようとする現象が生ずる。
したがって、木口加工品本体１の乾燥前に、この切除部２を形成しておくことで、該木口加工品本体１は、その乾燥工程において切除部２の形成代の範囲において前記収縮運動（収縮力）を吸収し、木口加工品本体１の全体へ前記収縮運動（収縮力）を伝達しない。
【００１０】
前記した挿嵌部材３は、切除部２に嵌め込むもので、該切除部２と略同形に形成されている。該挿嵌部材３は、木質材や合成樹脂製，金属など適宜な素材が利用できるものである。
したがって、この挿嵌部材３を切除部２へ隙間なく嵌め込むことで、図４に示すように、切除部２を設ける前の木口加工品本体１の形状に形成させることができる。いわゆる、木口加工品本体１の原形に復帰するものである。
【００１１】
この挿嵌部材３の切除部２への固定に際しては、接着剤を用いることでなされるものである。なお、図５に示すように、木口加工品本体１と挿嵌部材３との当接部に跨る接続部材８を複数箇所に設けた手段であっても構わない。
【００１２】
なお、切除部２に嵌め込む該切除部２と略同形に形成された挿嵌部材３とは、この切除部２が、乾燥工程を経ると共に、前記したように、木口加工品本体１に針葉樹系を用いた場合には、外周部５が収縮して開く現象が生じ、広葉樹を用いた場合には、中心部に収縮が起こって内側に収縮しようとする現象が生ずるため、この収縮現象を経て変化を生じなくなった後の切除部２の形態と略同形に形成されることを指すものである。
【００１３】
したがって、前記のように構成される本発明実施例の丸太材の木口加工品における割れ防止方法および丸太材の木口加工品Ａは、以下に述べる作用を奏する。
まず、丸太材ｂを長さ方向（軸方向）に対して、図１に示すように、所定長さ（厚さ）に切断して、図２（ａ）に示すような、木口加工品本体１を得る。この丸太材ｂはまだ乾燥が進んでいない生木状態において行う。
【００１４】
そして、この木口加工品本体１に対して、該木口加工品本体１の外周部５からこの木口加工品本体１の木口側における略中心部６に至るまで、図２（ｂ）に示すように、所定の切断手段により、例えば、三角形状の切除部２を設ける。
該切除部２の形成は、まだ乾燥が進んでいない生木状態において行うもので、この木口加工品本体１の厚さ方向の全長（全体）に対して設ける。
すなわち、図２（ｂ），図３に示すように、切除部２が木口加工品本体１の一部から抜け落ちるように形成され、その外周部５には、該外周部５において接続部を有しない、いわゆる欠円状態の切り口７が形成される。
【００１５】
この切除部２が形成された木口加工品本体１は、所定の期間乾燥工程や所定の乾燥期間を経て、該木口加工品本体１自体に乾燥に伴う収縮作用が生じないようにしておく。この収縮作用は、図２（ｂ）において矢印ｐで示す方向に起こり、これにより木口加工品本体１の外周部５から中心部へ向かって亀裂（エミ）を生じようとするものを、あらかじめ、該切除部２を形成することでこの亀裂作用を防止するものである。
すなわち、木口加工品本体１に設けられた切除部２の切り口７によって、前記収縮作用を生じても、この切り口７がこの収縮に対応して任意に開く、あるいは閉じることで、亀裂（エミ）を生じさせない。
【００１６】
所定の期間乾燥工程を経た木口加工品本体１の切除部２には、この切除部２の形状と略同形状の挿嵌部材３が嵌め込まれる。この嵌め込みに際しては、適宜な接着剤等の接続部材８が用いられるもので、強固に、この木口加工品本体１と切除部２とを接合させると、図４に示すような、木口加工品Ａが製造される。
なお、この挿嵌部材３の挿嵌にあっては、その馴染みや接合性を向上させるために、事前に切除部２の内面を平滑状に仕上げておくことが好ましい。
【００１７】
この木口加工品Ａは、例えば、図４に示すようなテーブルや、図６に示すような、ついたてなど家具類ｃの台部に、更には、図示してないが椅子など利用されるもので、これら様々な家具類ｃ等に利用されたものは、経年の使用にあって、以後、木口加工品Ａには亀裂（エミ）などが入らない優良品の状態を維持させることができる。
特に、従来、丸太材のままでは亀裂（エミ）が入って家具などの利用に難しかったものが、本発明実施例方法を採用することにより、本来木材の持つ自然な感じを家具などの屋内載置品として十分に表現することができる。
また、この木口加工品Ａにあって、挿嵌部材３が全体のアクセントとなり、かつ、装飾性が向上して、外観の体裁も良好となるものである。
【００１８】
しかも、このこの木口加工品Ａは、木口４に現れた木目（年輪）模様が流麗に表現され、看者に対する趣向が向上する。
また、小径木から大径木による該木口加工品Ａは、亀裂（エミ）などが入らない高級品化がなされ、従来の木材品以上の商品価値を発揮することができる。
【００１９】
【発明の効果】
前述のように構成される本発明は、木口加工品本体に生じようとする亀裂が防止されて、木口加工品としての物品価値が向上する。また、切除部に挿嵌された挿嵌部材が、木口加工品におけるアクセントとなって、一層、商品価値が向上する。等の格別な効果を奏するものである。
【図面の簡単な説明】
【図１】本発明の丸太材の木口加工品における割れ防止方法に用いる丸太材からの木口加工品本体の切り出し状態を示す斜視図である。
【図２】図１における木口加工品本体に切除部を形成させる状態を示すもので、（ａ）は切除部を設ける前の木口加工品本体の斜視図であり、（ｂ）は切除部を設けた後の木口加工品本体の斜視図である。
【図３】図１における丸太材の木口加工品本体の切除部の各形態例を示す説明図である。
【図４】図１における丸太材の木口加工品を示す斜視図である。
【図５】図１における丸太材の木口加工品の挿嵌部材の固定例を示す説明図である。
【図６】図１における丸太材の木口加工品の家具類に用いた他の例を示す斜視図である。
【図７】従来の木口加工品の状態を示す斜視図である。
【符号の説明】
Ａ…丸太材ｂの木口加工品．１…木口加工品本体．２…切除部．３…挿嵌部材．４…木口．５…外周部．６…略中心部
【図１】
2004268292.tif 000003
【図２】
2004268292.tif 000004
【図３】
2004268292.tif 000005
【図４】
2004268292.tif 000006
【図５】
2004268292.tif 000007
【図６】
2004268292.tif 000008
【図７】
2004268292.tif 000009